(57)【要約】【課題】  単純な構成で容器とグリップとを強固に係止して、使用時にどのような衝撃や振動を加えても決して分離しない構造とし、且つ、不使用時には容易に分離することができる、使用時の堅牢性および安全性と不使用時の収納性に優れる中華鍋を提供する。【解決手段】  中華鍋１００は、略半球または略半球の一部の形状に成型された鍋部１１と、鍋部の外周縁部１１ａに形成した切欠部１２と、切欠部１２の下に形成した穴部１３とを有する本体１０、切欠部１２へ側面から差し込むことができるようにするための溝部２１を形成した円筒状のグリップ２０、本体１０の穴部１３へ挿入可能なピン３０、ピン３０の一端をグリップ２０へ繋止するバネ４０、で構成される。本体１０の切欠部１２とグリップ２０の溝部２１とを係着させ、ピン３０をグリップ２０の本体側端面から筒内へ向けて挿入し、本体１０の穴部１３を貫通して固定することにより、本体１０とグリップ２０とが固定される。【選択図】図１
2011030994.tif 000002
【特許請求の範囲】
【請求項１】
略半球または略半球の一部の形状に成型された鍋部と、前記鍋部の外周縁部に形成した切欠部と、前記切欠部の下に形成した穴部と、を有する本体と、
前記切欠部へ側面から差し込むことができるようにするための溝部を形成した円筒状のグリップと、
本体の前記穴部へ挿入可能なピンと、で構成され、
前記切欠部と前記溝部とを係着させ、前記ピンを前記グリップの本体側端面から筒内へ向けて挿入し、本体の前記穴部を貫通して固定することにより、前記本体と前記グリップとを固定することを特徴とする中華鍋。
【請求項２】
前記ピンは、その一端が前記グリップへ繋止されていることを特徴とする請求項１に記載の中華鍋
【請求項３】
前記繋止手段はバネであることを特徴とする請求項２に記載の中華鍋。
【請求項４】
前記バネは、前記ピンが前記穴部を貫通する方向に引張力が働くよう前記グリップへ繋止されていることを特徴とする請求項３に記載の中華鍋。
【請求項５】
略半球または略半球の一部の形状に成型され外周部にフランジを有する鍋部と、前フランジの外周縁部に形成した切欠部と、前記切欠部の内側に形成した穴部と、を有する本体と、
前記切欠部へ末端を差し込むことができるようにするための溝部を形成し、前記切欠部と前記溝部とを係着させた際に前記穴部に対向する双方の側面に孔部を形成した円筒状のグリップと、
本体の前記穴部および前記孔部へ挿入可能なピンと、で構成され、
前記切欠部と前記溝部とを係着させ、前記ピンを、前記グリップ側面に形成した前記孔部から筒内へ向けて直角に挿入し、本体の前記穴部と更に前記グリップのもう一方の側面に形成した前記孔部を貫通して固定することにより、前記本体と前記グリップとを固定することを特徴とする中華鍋。
【請求項６】
前記ピンは、その一端が前記グリップへ繋止されていることを特徴とする請求項５に記載の中華鍋。
【請求項７】
前記繋止手段はバネであることを特徴とする請求項６に記載の中華鍋。
【請求項８】
前記バネは、前記ピンが前記穴部および前記孔部を貫通する方向に引張力が働くよう前記グリップへ繋止されていることを特徴とする請求項７に記載の中華鍋。
【発明の詳細な説明】
【技術分野】
【０００１】  本発明は、食品の調理に用いる中華鍋に関する。
【背景技術】
【０００２】  フライパンや鍋については、従来、収納の便利さから把持部（グリップ）を着脱式にしたものが提案されている（例えば、特許文献１又は２を参照）。【０００３】  例えば、特許文献１に開示された取り外し可能な把持装置によれば、ハンドル（グリップ）に形成された把持手段とロック手段により、鍋やフライパンなどの容器の縁が強固に把持され、容易とハンドルが一体化する。とはいえ、上記は通常の使用において安全性が確保されたものであり、容器を激しく振り回したり、加熱器具の五徳に叩きつけたりしたような場合にはロック手段が外れ、把持部が開放して容器がグリップから外れる虞がある。調理用具の中では、特に、中華鍋は、強い火力を用いて迅速に調理を行うなどの特徴から、容器を激しく振り回したり、加熱器具の五徳の上で揺さぶったり、容器の部分を叩きつけたりすることが多い。【０００４】  このように、上記従来の着脱可能なグリップの場合、衝撃や振動の大きな使用を行った場合には容器がグリップから外れる虞があるという問題があった。これは、複雑な機構で把持手段やロック手段を形成して安全性を高めているものの、容器を把持している（挟み込んでいる）だけであり、容器とグリップとを直接的に係止する手段が介在していないため、把持部が開放されると即座に容器が外れてしまうところに問題の原因がある。【０００５】  また、上記従来のグリップは、特許文献１又は２に開示された形状のように構造が複雑であり、日用品としては高価になる傾向があるという問題もあった。更に、中華鍋は、容器となる部分が鍋やフライパンのように屹立していない（即ち、斜めになっている）独特の形状であるため、従来の着脱式のグリップが適用しにくいという問題もあった。【０００６】
【先行技術文献】
【特許文献】
【０００７】
【特許文献１】特開２００６−５０１８８３号公報（第４頁〜第１０頁、図２）
【特許文献２】特開平８−２０６０２１号公報（第３頁〜第７頁、図１）
【発明の概要】
【発明が解決しようとする課題】
【０００８】  そこで本発明は上記従来の課題に鑑みてなされたものであり、単純な構成で容器とグリップとを強固に係止して、使用時にどのような衝撃や振動を加えても決して分離しない構造とし、且つ、不使用時には容易に分離することができる、使用時の堅牢性および安全性と不使用時の収納性に優れる中華鍋を提供することを目的とする。
【課題を解決するための手段】
【０００９】  上記課題を解決するため、本発明の中華鍋は、略半球または略半球の一部の形状に成型された鍋部と、前記鍋部の外周縁部に形成した切欠部と、前記切欠部の下に形成した穴部と、を有する本体と、前記切欠部へ側面から差し込むことができるようにするための溝部を形成した円筒状のグリップと、本体の前記穴部へ挿入可能なピンと、で構成され、前記切欠部と前記溝部とを係着させ、前記ピンを前記グリップの本体側端面から筒内へ向けて挿入し、本体の前記穴部を貫通して固定することにより、前記本体と前記グリップとを固定することを特徴とする。
上記構成によれば、ピンを挿入、固定することにより、鍋の容器部分とグリップとが確実に係止されるので、使用時にどのような衝撃や振動を加えても決して分離しない構造とすることができる。また、不使用時には、ピンを抜くことにより、鍋の容器部分とグリップを容易に分離することができる。従って、使用時の堅牢性および安全性と不使用時の収納性とを兼備した中華鍋とすることができる。【００１０】  また、本発明の中華鍋は、請求項１に記載の中華鍋であって、前記ピンは、その一端が前記グリップへ繋止されていることを特徴とする。
上記構成によれば、ピンを外した際にピンだけが独立した部品として分離されることがないので、ピンの紛失を防止することができる。【００１１】  また、本発明の中華鍋は、請求項２に記載の中華鍋であって、前記繋止手段はバネであることを特徴とする。
上記構成によれば、ピンを外した際にピンだけが独立した部品として分離されることがないので、ピンの紛失を防止することができる。【００１２】  また、本発明の中華鍋は、請求項３に記載の中華鍋であって、前記バネは、前記ピンが前記穴部を貫通する方向に引張力が働くよう前記グリップへ繋止されていることを特徴とする。
上記構成によれば、バネの引張力に抗して引き抜かない限りピンが外れることがないため、使用時に衝撃や振動を加えても分離しない構造の信頼性を高め、使用時の堅牢性および安全性を向上させることができる。【００１３】  また、本発明の中華鍋は、略半球または略半球の一部の形状に成型され外周部にフランジを有する鍋部と、前フランジの外周縁部に形成した切欠部と、前記切欠部の内側に形成した穴部と、を有する本体と、前記切欠部へ末端を差し込むことができるようにするための溝部を形成し、前記切欠部と前記溝部とを係着させた際に前記穴部に対向する双方の側面に孔部を形成した円筒状のグリップと、本体の前記穴部および前記孔部へ挿入可能なピンと、で構成され、前記切欠部と前記溝部とを係着させ、前記ピンを、前記グリップ側面に形成した前記孔部から筒内へ向けて直角に挿入し、本体の前記穴部と更に前記グリップのもう一方の側面に形成した前記孔部を貫通して固定することにより、前記本体と前記グリップとを固定することを特徴とする。
上記構成によれば、ピンを挿入、固定することにより、鍋の容器部分とグリップとが確実に係止されるので、使用時にどのような衝撃や振動を加えても決して分離しない構造とすることができる。また、不使用時には、ピンを抜くことにより、鍋の容器部分とグリップを容易に分離することができる。従って、使用時の堅牢性および安全性と不使用時の収納性とを兼備した中華鍋とすることができる。【００１４】  また、本発明の中華鍋は、請求項５に記載の中華鍋であって、前記ピンは、その一端が前記グリップへ繋止されていることを特徴とする。
上記構成によれば、ピンを外した際にピンだけが独立した部品として分離されることがないので、ピンの紛失を防止することができる。【００１５】  また、本発明の中華鍋は、請求項６に記載の中華鍋であって、前記繋止手段はバネであることを特徴とする。
上記構成によれば、ピンを外した際にピンだけが独立した部品として分離されることがないので、ピンの紛失を防止することができる。【００１６】  また、本発明の中華鍋は、請求項７に記載の中華鍋であって、前記バネは、前記ピンが前記穴部および前記孔部を貫通する方向に引張力が働くよう前記グリップへ繋止されていることを特徴とする。
上記構成によれば、バネの引張力に抗して引き抜かない限りピンが外れることがないため、使用時に衝撃や振動を加えても分離しない構造の信頼性を高め、使用時の堅牢性および安全性を向上させることができる。
【発明の効果】
【００１７】  本発明の中華鍋によれば、容器部分とグリップを分離できるという収納性の良さを備えつつ、容器部分とグリップを一体成型した製品程度に、使用時における堅牢性および安全性を維持することができる。
【図面の簡単な説明】
【００１８】
【図１】  本発明の実施の形態１における中華鍋の外観を示す斜視図である。
【図２】  本発明の実施の形態１における中華鍋の、使用時におけるピン挿入状態を示す断面図である。
【図３】  本発明の実施の形態１における中華鍋の、グリップの構造を拡大した模式図である。
【図４】  本発明の実施の形態２における中華鍋の外観を示す斜視図である。
【図５】  本発明の実施の形態２における中華鍋の、使用時におけるピン挿入状態を示す断面図である。
【図６】  本発明の実施の形態２における中華鍋の、グリップの構造を拡大した模式図である。
【発明を実施するための形態】
【００１９】  以下、本発明の実施の形態における中華鍋について、図面を用いて詳細に説明する。
【００２０】  ［実施の形態１］図１は、本発明の実施の形態１における中華鍋の外観を示す斜視図である。中華鍋１００は、主に、略半球または略半球の一部の形状に成型された鍋部１１と、鍋部の外周縁部１１ａに形成した切欠部１２と、切欠部１２の下に形成した穴部１３とを有する本体１０、切欠部１２へ側面から差し込むことができるようにするための溝部２１を形成した円筒状のグリップ２０、本体１０の穴部１３へ挿入可能なピン３０、ピン３０の一端をグリップ２０へ繋止するバネ４０、などで構成される。
【００２１】  図２は、本発明の実施の形態１における中華鍋の、使用時におけるピン挿入状態を示す断面図である。本体１０の切欠部１２とグリップ２０の溝部２１とを係着させ、ピン３０をグリップ２０の本体側端面から筒内へ向けて挿入し、本体１０の穴部１３を貫通して固定することにより、本体１０とグリップ２０とが固定される。
【００２２】  図３は、本発明の実施の形態１における中華鍋の、グリップの構造を拡大した模式図である。ピン３０は、一端がリング状に形成されており、この一端を繋止するバネ４０は、ピン３０が円筒状のグリップ２０の内部を通り、穴部１３を貫通して挿入された際、貫通する方向に引張力が働くよう反対側の末端がグリップ２０の末端２２へ繋止されている。従って、ピン３０をバネ４０の引張力に抗して引き抜かない限りピン３０が外れることがない。
【００２３】  以上のように、本発明の実施の形態１における中華鍋は、従来のようにハンドルで容器本体の縁を挟み込んで固定し、容器本体とハンドルとを一体化するという構造ではなく、係着させた本体１０とグリップ２０にピン３０を貫通させて双方を固定するという構造であるため、使用時にどのような衝撃や振動を加えてもピン３０が外れない限り決して分離することがない。また、ピン３０を繋止するバネ４０は、ピン３０の挿入状態が維持される方向に引張力が働くように配置されているので、使用時における堅牢性および安全性に係る信頼性がさらに向上する。一方、手動でピンを抜くことにより、鍋の本体１０とグリップ２０を容易に分離することができ、収納性に優れる。また、ピン３０はバネ４０で繋止されているので紛失等の虞がない。
【００２４】  ［実施の形態２］図４は、本発明の実施の形態２における中華鍋の外観を示す斜視図である。中華鍋１１０は、主に、略半球または略半球の一部の形状に成型され外周部にフランジ５４を有する鍋部５１と、フランジ５４の外周縁部５４ａに形成した切欠部５２と、切欠部１２の内側に形成した穴部５３とを有する本体５０、切欠部５２へ末端を差し込むことができるようにするための溝部６１を形成し、切欠部５２と溝部６１とを係着させた際に穴部５３に対向する双方の側面に孔部６３、６４を形成した円筒状のグリップ６０、本体５０の穴部５３へ挿入可能なピン７０、ピン７０の一端をグリップ６０へ繋止するバネ８０、などで構成される。
【００２５】  図５は、本発明の実施の形態２における中華鍋の、使用時におけるピン挿入状態を示す断面図である。本体５０の切欠部５２とグリップ６０の溝部６１とを係着させ、グリップ側面に形成した孔部６３から筒内へ向けて直角にピン７０を挿入し、本体５０の穴部５３と更にグリップ６０のもう一方の側面に形成した孔部６４を貫通して固定することにより、本体５０とグリップ６０とが固定される。
【００２６】  図６は、本発明の実施の形態２における中華鍋の、グリップの構造を拡大した模式図である。ピン７０は、一端がリング状に形成されており、この一端を繋止するバネ８０は、ピン７０が孔部６３、穴部５３、孔部６４を貫通して挿入された際、貫通する方向に引張力が働くよう反対側の末端がグリップ２０の中央部２２へ繋止されている。従って、ピン７０をバネ８０の引張力に抗して引き抜かない限りピン７０が外れることがない。
【００２７】  以上のように、本発明の実施の形態２における中華鍋は、従来のようにハンドルで容器本体の縁を挟み込んで固定し、容器本体とハンドルとを一体化するという構造ではなく、係着させた本体５０とグリップ６０にピン７０を貫通させて双方を固定するという構造であるため、使用時にどのような衝撃や振動を加えてもピン７０が外れない限り決して分離することがない。また、ピン７０を繋止するバネ８０は、ピン７０の挿入状態が維持される方向に引張力が働くように配置されているので、使用時における堅牢性および安全性に係る信頼性がさらに向上する。一方、手動でピンを抜くことにより、鍋の本体５０とグリップ６０を容易に分離することができ、収納性に優れる。また、ピン７０はバネ８０で繋止されているので紛失等の虞がない。
【００２８】  以上のように、本発明の実施の形態における中華鍋は、容器部分とグリップを分離できるという収納性の良さを備えつつ、容器部分とグリップが一体となった製品程度に、使用時における堅牢性および安全性を維持することができる。
【００２９】
【産業上の利用可能性】
【００３０】  本発明にかかわる中華鍋は、収納性の良さを備えつつ堅牢性および安全性を維持することができるという効果を有し、比較的厳しい使用環境にある鍋の構造として有用である。
【符号の説明】
【００３１】  １０  本体
１１  鍋部
１２  切欠部
１３  穴部
２０  グリップ
２１  溝部
３０  ピン
４０  バネ
５０  本体
５１  鍋部
５２  切欠部
５３  穴部
５４  フランジ
６０  グリップ
６１  溝部
６３、６４  孔部
７０  ピン
８０  バネ
【図１】
2011030994.tif 000003
【図２】
2011030994.tif 000004
【図３】
2011030994.tif 000005
【図４】
2011030994.tif 000006
【図５】
2011030994.tif 000007
【図６】
2011030994.tif 000008